(57)【要約】【課題】古い墓石や石塔等の一部をコンパクトな形状を有するお墓、位牌、香炉又は礼拝用表札として再利用することにより、先祖や故人を住居内の卓上や手元で身近に供養し、祭りながら、故人の亡くなる前の面影、故郷等を懐かしく偲ぶことができるだけでなく、廃棄場所の確保及び資源の有効利用という環境問題の解決に対しても貢献できる礼拝用記念碑を提供する。【解決手段】本考案の拝礼用記念碑は、卓上又は手元に置くことができるコンパクトな形状を有する墓、位牌、香炉又は礼拝用表札であって、前記墓、位牌、香炉又は礼拝用表札が、墓地又は霊園に据付けられていた既存の墓石又は石塔を再利用し、前記石塔から切断、研磨及び研削の少なくとも何れかの方法によって前記石塔の外形よりも小さな形状で切出し又は加工を行って得られた部分を有することを特徴とする。【選択図】図１
0003211811.tif 000002
【実用新案登録請求の範囲】
【請求項１】
卓上又は手元に置くことができるコンパクトな形状を有する墓、位牌、香炉又は礼拝用表札であって、
前記墓、位牌、香炉又は礼拝用表札が、墓地又は霊園に据付けられていた既設の墓石又は石塔を再利用し、前記墓石又は石塔から切断、研磨及び研削の少なくとも何れかの方法によって前記墓石又は石塔の外形よりも小さな形状で切出し又は加工を行って得られた部分を有することを特徴とする拝礼用記念碑。
【請求項２】
前記墓、位牌、香炉又は礼拝用表札が、墓地又は霊園に据付けられていた既設の墓石又は石塔から該墓石又は石塔の周囲部分を切断、研磨及び研削の少なくとも何れかの方法によって除くことにより、外周のすべてに新しく形成された切断面又は研磨面を有することを特徴とする請求項１に記載の拝礼用記念碑。
【請求項３】
前記墓、位牌、香炉又は礼拝用表札が、墓地又は霊園に据付けられていた既設の墓石又は石塔から該墓石又は石塔の周囲の一部を残した状態で、前記墓石又は石塔の外形よりも小さな形状に切出し又は加工を行って得られた部分を有することを特徴とする請求項１に記載の拝礼用記念碑。
【請求項４】
前記墓、位牌、香炉又は礼拝用表札が、墓地又は霊園に据付けられていた既設の墓石又は石塔から、円柱、円錐、角柱及び角錐のいずれかの形状に切出し又は加工を行った部分を有することを特徴とする請求項１〜３の何れか一項に記載の拝礼用記念碑。
【請求項５】
前記墓、位牌、香炉又は礼拝用表札が、切断、研磨及び研削の少なくとも何れかの方法によって切出し又は加工を行ったときの様子を画像又は音声として記録した記録媒体を挿入するために形成された溝又は切れ込み部分を有することを特徴とする請求項１〜４の何れか一項に記載の拝礼用記念碑。
【請求項６】
前記拝礼用記念碑が、墓であることを特徴とする請求項１〜５の何れか一項に記載の拝礼用記念碑。
【請求項７】
前記拝礼用記念碑が、位牌であることを特徴とする請求項１〜５の何れか一項に記載の拝礼用記念碑。
【請求項８】
前記拝礼用記念碑が、香炉であることを特徴とする請求項１〜５の何れか一項に記載の拝礼用記念碑。
【請求項９】
前記拝礼用記念碑が、礼拝用表札であることを特徴とする請求項１〜５の何れか一項に記載の拝礼用記念碑。
【考案の詳細な説明】
【技術分野】
【０００１】
本考案は、古い墓石や石塔等から切り出した部分をコンパクトな形状を有するお墓、位牌、香炉又は礼拝用表札に再利用することにより、資源の有効利用を図るだけでなく、先祖や故人を住居内の卓上や手元で身近に供養し、祭ることができる礼拝用記念碑に関する。
【背景技術】
【０００２】
近年、地方から都市への人口の移動に伴い、核家族化が急速に進んでおり、地方の墓地や霊園等に存在する墓等の礼拝用記念碑の維持及び管理が非常に難しくなっている。一方で、親や親類等の故人の霊の供養とともに、故人を偲びたいという気持ちはだれでも持っており、できることならそれらを供養するための家墓等は手元に置きたいという要望が大きくなっている。同時に、その設置のための費用はできるだけ低減することが望まれている。
【０００３】
また、永代供養を謳っている寺院や霊園は、それらが永遠に存在する前提で行うことができるものであるが、そのような状況が必ずしも安定的に長く続くとは限らない。加えて、自分とは直接関係しない形で従来から続いている寺院や霊園との付き合いやしがらみから解き離れたいとの気持ちを有する人が多くなっていることも無視できない状況である。
【０００４】
このような要望や状況に応えるものとして、近年、手元供養墓や卓上墓等のコンパクトな墓が新しい供養方法として利用されるようになっている。これらコンパクトな墓としては様々な形状や機能を有するものが提案されている。例えば、特許文献１には、額縁と、遺骨収納部と小物遺品、資料及びＤＮＡ鑑定試料等の収納部を形成した箱とからなる卓上額墓が提案されている。また、特許文献２には、卓上に載置可能に形成される本体と、該本体の後測部にヒンジを介して開閉可能に連結される蓋体とを備える卓上墓が提案されている。
【０００５】
他方、既設の古い墓石又は石塔を何らかの理由で処分する場合は、例えば、魂抜きをしてもらった後、専門業者等に産業廃棄物として廃棄処理を依頼する以外に適当な方法がないが、その大きさと重量の点から廃棄場所の確保が次第に難しくなってきているというのが現状である。廃棄物の減量は今後の大きな課題であり、その観点から資源の再利用が強く求められている。そのような課題に対応するための一つの方法として、例えば、古い墓石や石塔を新しい墓の一部に採用し、墓誌又は墓誌の台として利用することが行われている。
【０００６】
また、特許文献３には、古い墓石や石塔を再利用する方法として、墓を改築する際に発生する多量の廃棄物を墓穴の埋立てに再利用することにより、産業廃棄物を抑制することが提案されている。
【先行技術文献】
【特許文献】
【０００７】
【特許文献１】特開２０１２−１６４６３号公報
【特許文献２】特開２０１１−１９４０４７号公報
【特許文献３】特開２００４−１５０２３７号公報
【考案の概要】
【考案が解決しようとする課題】
【０００８】
しかしながら、前記特許文献１及び２に記載の卓上墓は、故人の霊を手元で供養するという目的には合致するものの、既設の古い墓石又は石塔とは無関係に新しく作製されるものである。そのため、古い墓石又は石塔からイメージできる故人の亡くなる前の面影、埋葬時の様子、及び故人が埋葬された土地又は場所等を思い出したり、それらを偲びたいという遺族等の気持ちを十分に満足させるものではなく、故人の霊を手元で供養するという儀礼的な目的に限定されており、場合によっては物足りなさを感じさせるものであった。さらに、既設の古い墓石又は石塔はそのまま廃棄されるため、廃棄場所の確保及び資源の有効利用という環境面に対しても何ら配慮がなされていなかった。
【０００９】
この問題を解決するため、上記で述べたように、既設の古い墓石や石塔を新しい墓の一部として再利用することが考えられるが、それらを単に墓誌又は墓誌の台として利用する場合は、形状及び重量の点から卓上墓として利用することはそもそも無理がある。
【００１０】
また、前記特許文献３に記載の墓は、既設の古い墓石や石塔を墓穴の埋立てに再利用するものであるが、この場合は既設の古い墓石や石塔を細かく砕く必要があり、そもそも手元墓を認識して提案されたものでない。
【００１１】
本考案は、上記した従来の問題点に鑑みてなされたものであって、既設の古い墓石や石塔等の一部をコンパクトな形状を有するお墓、位牌、香炉又は礼拝用表札として再利用することにより、先祖や故人を住居内の卓上や手元で身近に供養し、祭りながら、故人の亡くなる前の面影、故郷等を懐かしく偲ぶことができるだけでなく、廃棄場所の確保及び資源の有効利用という環境面に対しても大きく貢献できる礼拝用記念碑を提供することにある。
【課題を解決するための手段】
【００１２】
本考案は、墓地又は霊園に据付けられていた既存の古い墓石又は石塔から取り出した一部を、コンパクトな形状を有する卓上墓や手元墓、位牌、香炉又は拝礼用表札に再利用することにより、上記の課題を解決できることを見出して本考案に到った。
【００１３】
すなわち、本考案は、卓上又は手元に置くことができるコンパクトな形状を有するお墓、位牌、香炉又は礼拝用表札であって、前記墓、位牌、香炉又は礼拝用表札が、墓地又は霊園に据付けられていた既設の墓石又は石塔を再利用し、前記墓石又は石塔から切断、研磨及び研削の少なくとも何れかの方法によって前記墓石又は石塔の外形よりも小さな形状で切出し又は加工を行って得られた部分を有することを特徴とする礼拝記念碑を提供する。
本考案においては、既設の墓石又は石塔から切断、研磨及び研削によって取り出された一部分を、卓上又は手元に置くことができるコンパクトな墓、位牌、香炉又は礼拝用表札として再利用することにより、先祖や故人の霊を住居内の卓上や手元で身近に供養し、祭ることができるだけでなく、前記既設の墓石又は石塔から取り出された部分が故人の亡くなる前の面影、故郷等を懐かしく偲ぶことができる役割を有する。さらに、既設の古い墓石又は石塔の再利用により、廃棄場所の確保及び資源の有効利用という環境問題の解決に対しても貢献することができる。
【００１４】
また、本考案は、前記墓、位牌、香炉又は礼拝用表札が、墓地又は霊園に据付けられていた既設の墓石又は石塔から該墓石又は石塔の周囲部分を切断、研磨及び研削の少なくとも何れかの方法によって除くことにより、外周のすべてに新しく形成された切断面又は研磨面を有することを特徴とする礼拝記念碑を提供する。
この考案による礼拝記念碑は、故人の亡くなる前の面影、故郷等を懐かしく偲ぶことができる痕跡を有しつつ、外観からは全く新しく礼拝記念碑であるという印象を与えることができる。
【００１５】
また、本考案は、前記墓、位牌、香炉又は礼拝用表札が、墓地又は霊園に据付けられていた既設の墓石又は石塔から該墓石又は石塔の周囲の一部を残した状態で、前記墓石又は石塔の外形よりも小さな形状に切出し又は加工を行って得られた部分を有することを特徴とする礼拝記念碑を提供する。
この考案により、コンパクトな形状を有する礼拝用記念碑に、故人の亡くなる前の面影、故郷等を懐かしく偲ぶことができる痕跡を目に見える形で具体的に表すことができるため、故人を偲びたいという遺族等の気持ちを十分に満足させることができる。
【００１６】
また、本考案は、前記墓、位牌、香炉又は礼拝用表札が、墓地又は霊園に据付けられていた既設の墓石又は石塔から、円柱、円錐、角柱及び角錐のいずれかの形状に切出し又は加工を行った部分を有することを特徴とする拝礼用記念碑を提供する。
この考案により、既設の墓石又は石塔から、コンパクトな形状を有する礼拝用記念碑として再利用する部分の取り出し加工が容易になる。さらに、礼拝用記念碑の外形形状は、扁平の矩形、略円型又は略楕円型の形状に限定されず、様々な形状のものが得られることから形状の自由度を高めることができる。
【００１７】
また、本考案は、前記墓、位牌、香炉又は礼拝用表札が、切断、研磨及び研削の少なくとも何れかの方法によって切出し又は加工を行ったときの様子を画像又は音声として記録した記録媒体を挿入するために形成された溝又は切れ込み部分を有することを特徴とする拝礼用記念碑を提供する。
本考案により、故人の亡くなる前の面影、故郷等を懐かしく偲ぶことができる痕跡を画像又は音声として記録した記録媒体を前記礼拝用記念碑に形成する溝又は切れ込み部分に保管又は保管することができるため、所望のときにいつでも容易に取り出して見たり聞いたりできる。このように、本考案による礼拝用記念碑は利便性に優れる。
【００１８】
また、本考案の拝礼用記念碑は、具体的に墓、位牌、香炉又は礼拝用表札であることを特徴とする。本考案の拝礼用記念碑を墓、位牌、香炉又は礼拝用表札として利用することにより、手元に置いて自由なときに故人を偲ぶことができる。
【考案の効果】
【００１９】
本考案の礼拝用記念碑は、従来の卓上墓や手元墓、位牌、香炉又は礼拝用表札では十分に満たすことができなかった遺族の希望、すなわち、手元に置いて好きなときに穏やかに故人を偲びたいという気持ちを十分に満たすことができる。それにより、先祖や故人を住居内の卓上や手元で身近に供養し、祭ることができるだけでなく、故人の亡くなる前の面影、故郷等を懐かしく偲ぶことができる。さらに、既存の古い墓石又は石塔の一部を再利用して作製されるため、今後大きな問題となる廃棄場所の確保及び資源の有効利用という環境問題の解決に対しても貢献することができる。
【図面の簡単な説明】
【００２０】
【図１】本発明の礼拝用記念碑として卓上墓の例を示す外観斜視図である。
【図２】本発明の礼拝用記念碑として位牌の例を示す外観平面図である。
【図３】本発明の礼拝用記念碑として香炉の例を示す外観斜視図である。
【図４】本発明の礼拝用記念碑として礼拝用表札の例を示す外観斜視図である。
【図５】本発明の礼拝用記念碑の一部を既設の墓式又は石塔から取り出すときの加工方法の例を説明するための斜視図である。
【図６】本発明の礼拝用記念碑の一部を既設の墓式又は石塔から取り出すときの加工方法の別の例を説明するための斜視図である。
【図７】本考案の第３の実施形態による卓上墓の例を示す外観斜視図である。
【図８】本考案の第４の実施形態による竿石及び卓上墓の例を示す外観斜視図である。
【考案を実施するための形態】
【００２１】
図１に、本発明の礼拝用記念碑として卓上墓の例を外観斜視図で示す。図１の（ａ）に示す卓上墓１は、既設の古い墓石や石塔に近い形状をほぼ同じ形で縮尺再現したものである。また、図１の（ｂ）、（ｃ）及び（ｄ）に示す卓上墓２、３及び４は、（ａ）に示すものよりさらにサイズが小さく、よりコンパクトな形状を有する。
【００２２】
図１の（ａ）の示す卓上墓１は、幅×奥行×高さの寸法をそれぞれ１ｍ×１ｍ×１．５ｍより小さくして一般的に作製されるが、それらの寸法には縛られず、実際の設置スペーに応じて大きさを決めることが実用的である。例えば、０．５ｍ×０．５ｍ×１ｍより小さいものであってもよいし、場所的な制約がない場合には１ｍ×１ｍ×１．５ｍを超える大きさのものであってもよい。卓上墓１は、墓標部分に相当する竿石５の下部に位置する上台６、中台７及び芝台８を基本的に有するが、それらの少なくとも何れかは、既設の古い墓石や石塔から切断、研磨及び研削の少なくとも何れかの方法によって前記墓石又は石塔の外形よりも小さな形状で切出し又は加工を行って作製される。その場合、既設の古い墓石や石塔から所望の大きさと形状で取り出した部分をそのまま使用してもよいし、さらに、後加工を加えることによって部分的な加工を行ったり、装飾を施してから使用してもよい。
【００２３】
また、卓上墓１には、遺骨や遺品等を収納するための収納部を備えることができる。図１の（ａ）には、例として、中台７の内部に仕切板によって遺骨収納部と遺品等収納部とを形成した収納箱９を示している。遺骨だけを収納する場合等のように、収納のために広いスペースを必要としない場合は、収納箱９に代えて、入り口に栓体を設けた筒状の納骨部を上台６、中台７及び芝台８の何れかの適当な場所（例えば、側面又は裏面）に設けてもよい。
【００２４】
図１の（ｂ）、（ｃ）及び（ｄ）に示す卓上墓２、３、４は、それぞれ額縁部１０、１１、１２を有する。遺骨や遺品等を収納するための収納部を設ける場合、卓上墓２においては裏側に遺骨や遺品等の収納スペースを確保できるような厚さで額縁部１０を形成する。また、卓上墓３及び４では、額縁部１１、１２の下部に設置する台の内側に、仕切板によって遺骨収納部と遺品等収納部とを形成した収納箱１３、１４をそれぞれ設けることができる。ここで、額縁部１０、１１、１２及びその下部に設置する台の何れかは、既設の古い墓石や石塔から切断、研磨及び研削の少なくとも何れかの方法によって前記墓石又は石塔の外形よりも小さな形状で切出し又は加工を行って作製される。
【００２５】
図２に、本発明の礼拝用記念碑として位牌のいくつかの例を外観正面図で示す。図２の（ａ）、（ｂ）及び（ｃ）に示す位牌１５、１６、１７は、基本的に位牌部１８とそれを支持する支持台１９及び位牌の載置用台２０から構成される。ここで、支持台１９は、１又は２つ以上の台を用いて所望の形状で組み合わせて作製される。位牌は一般的に木製が多いが、本考案においては位牌部１８を、既設の古い墓石や石塔から切断、研磨及び研削の少なくとも何れかの方法によって作製することができる。その場合、既設の古い墓石や石塔から所望の大きさと形状で取り出した部分に、ブラスト処理又は手筆等により戒名、日付等の文字を刻印又は記入したり、必要に応じて装飾等を施すなどの後加工を行ってもよい。さらに、既設の古い墓石や石塔から切断、研磨及び研削の少なくとも何れかの方法によって取り出す部分は、位牌部１８だけでなく、支持台１９又は位牌の載置用台２０に再利用してもよい。
【００２６】
図３に、本発明の礼拝用記念碑として香炉のいくつかの例を外観斜視図で示す。図３の（ａ）及び（ｂ）に示す香炉２１及び２２は香炉灰を入れるための容器であり、例えば、線香のように長手棒形状とした焚香を前記香炉灰に差し入れるときに使用する。本考案においては香炉２１及び２２を、既設の古い墓石や石塔から切断、研磨及び研削の少なくとも何れかの方法によって作製することができる。香炉の断面形状としては、図３において（ａ）に示す円形や（ｂ）に示す矩形の他にも、楕円形及び多角形の中で所望の形状を選ぶことができる。香炉を作製するとき、既設の古い墓石や石塔から所望の大きさと形状で取り出した部分に、ブラスト処理又は手筆等により戒名、日付等の文字を刻印又は記入したり、必要に応じて装飾等を施すなどの後加工を行ってもよい。また、図３の（ａ）に示す香炉２１は、底部に複数個の脚２３を有するが、脚２３は既設の古い墓石や石塔を使用しないで別の材料から作製し、既設の古い墓石や石塔から作製した香炉に後から取りつけてもよい。
【００２７】
図４に、本発明の礼拝用記念碑として礼拝用表札のいくつかの例を外観斜視図で示す。図４の（ａ）、（ｂ）、（ｃ）及び（ｄ）にそれぞれ示す礼拝用表札２４、２５、２６、２７は、戒名や日付等の文字等を刻印又は記入するための平面又は曲面を有するように、既設の古い墓石や石塔から切断、研磨及び研削の少なくとも何れかの方法によって作製する。ここで、礼拝用表札の外形形状は図４に示す矩形や楕円形には限定されず、円形及び多角形等の所望の形状を選択することができる。なお、図４に示す礼拝用表札は、故人の亡くなる前の面影、故郷等を懐かしく偲ぶ等、あくまで故人の供養を行うときに室内で礼拝用として使用するものである。そのため、家屋の玄関等に掲げる一般的な表札とは区別されるものであるが、場合に応じてこれら一般的な表札として使用してもよい。
【００２８】
以上が本考案による礼拝用記念碑の例であるが、本考案は図１〜図４に示すものに限定されるものではなく、既設の古い墓石や石塔から切断、研磨及び研削の少なくとも何れかの方法によって作製する部分を有するものであれば、様々な形状を有する卓上墓、手元墓、位牌、香炉又は礼拝用表札に適用することができる。
【００２９】
次に、本考案の礼拝用記念碑を作製するときの具体的な実施形態について図面を用いて詳細に説明する。ただし、本考案は以下の実施形態に限定されるものではない。
【００３０】
＜第１の実施形態＞
図５は本実施形態を概略的に説明するための斜視図であり、本考案の礼拝用記念碑の一部として使用する部分を、既設の墓石又は石塔から取り出すときの加工方法の例を示す。図５に示すように、墓地又は霊園に据付けられていた既設の墓石又は石塔の竿石２８を、ダイヤモンド等を有するホイールブレイド（回転刃）によって自動で切断することにより、それらの幅、奥行及び高さをそれぞれ３分割する。このようにして計２７個に分割した石の中で中央部に位置する分割石２９を取り出した後、その外周のすべてを電動ハンドポリッシャーにフレキシブルダイヤモンドパッド等を付けた研磨機等を用いて研磨し、外周面を平滑な表面に加工する。図５に示す竿石２８において、点線が切断線に相当する箇所である。
【００３１】
図５には、既設の墓石又は石塔の竿石２８を２７個に分割する例を示しているが、分割の数や切断位置は、既設の墓石又は石塔の状態、及び再利用するときの墓の形状と大きさに応じて選択することができる。ここで、既設の墓石又は石塔の状態に応じて切断するとは、竿石２８において傷や亀裂がある部分及び傷みのひどい部分がみられる場合は、切断の際にそれらの部分を除いて切断を行うという意味である。
【００３２】
このようにして得られる分割石２９は、例えば、図１の（ａ）に示す卓上墓１の竿石５として使用することができる。また、分割石２９は、卓上墓１を作製した後に目視できる部分として現れる面だけを研磨し、残りの面は切断面をそのまま残した状態で、例えば、墓１の上台６、中台７及び芝台８の全部又は一部として再利用してもよい。さらに、図５に示す加工は、墓だけでなく、図２に示す位牌の位牌部１８や図４に示す礼拝用表札２４、２５、２６、２７としても適用することができ、その場合は戒名や日付等が刻印又は記載される面を平滑な面として形成する。その以外にも、図３に示す香炉２１、２１を作製する場合は、上記のようにして得られる分割石２９を切断、研磨及び研削の少なくとも何れかの方法によって香炉として所望の形状に後加工を行う。
【００３３】
本実施形態によれば、既設の古い墓石又は石塔の再利用により、廃棄場所の確保及び資源の有効利用という環境問題を解決できるともに、新しい礼拝記念碑を従来よりも安価に得ることが可能になる。さらに、コンパクトな形状を有する礼拝記念碑に対して、故人の亡くなる前の面影や故郷等を懐かしく偲ぶことができる痕跡を残しながら、その礼拝記念碑の外面は全く新しくなったという印象を与えることができるため、新たな気持ちで先祖の霊を敬う気持ちが生まれるきっかけになると考えられる。
【００３４】
＜第２の実施形態＞
図６は本実施形態を概略的に説明するための斜視図であり、本考案の礼拝用記念碑の一部として使用する部分を、既設の墓石又は石塔から取り出すときの加工方法の別の例を示している。図６に示すように、墓地又は霊園に据付けられていた既設の墓石又は石塔の竿石３０を、ダイヤモンドホイールブレイド等によって自動で切断し、それらの幅、奥行及び高さをそれぞれ３分割、２分割及び３分割する。このようにして分割切断した計１８個の石の中で中央部の片側に位置していた分割石３１を取り出した後、既設の墓石又は石塔の表面に露出していた面３２を残し、他の面すべてを電動ハンドポリッシャーにフレキシブルダイヤモンドパッド等を付けた研磨機等を用いて研磨し、平滑な表面に加工する。図６に示す竿石３０において、点線が切断線に相当する箇所である。ここで、面３２には、既設の墓石又は石塔において戒名などの文字（図において○○○で示す部分）が刻印されており、切断加工後においてもその文字及び面３２の表面状態を残した状態にすることができる。
【００３５】
図６には既設の墓石又は石塔の竿石３０を１８個に分割する例を示しているが、分割の数や切断位置は、既設の墓石又は石塔の状態、及び再利用するときの墓の形状と大きさに応じて選択することができる。既設の墓石又は石塔の表面に露出していた文字等の刻印又は印字された部分は、そのすべてを残す必要はなく、切断加工において必要な文字部分だけを残した状態で取り出してもよい。また、分割石３１において既設の墓石又は石塔の表面状態を残す面は、面３２の一面だけには限定されず、２面以上であってもよい。分割石３１においてその２面以上に既設の墓石又は石塔の表面状態を残して切断加工を行うときは、文字を残す面が１面だけでもよいし、２面以上であってもよい。また、本実施形態においては、切断分割後の分割石の表面に残す表面が、文字等を刻印又は印字した面だけには限定されない。例えば、既設の墓石又は石塔の表面に文字等が刻印又は印字されていない面を残す場合であっても、故人の亡くなる前の面影、故郷等を懐かしく偲ぶことができる痕跡が目に見える形で具体的に表れるため、人間の感情や記憶を増長させるにはある程度の効果があると考えられる。
【００３６】
このようにして得られる分割石３１は、例えば、図１の（ａ）に示す卓上墓１の竿石５として使用するときに、分割石３１の面３２を表側に配置することにより、既設の墓石又は石塔の表面に刻印されていた文字等をそのまま使用できるようになる。その場合、新たに文字を刻印又は印字する必要がなくなるだけでなく、既設の古い墓石又は石塔の竿石に刻まれた文字から受けるときと同じ印象や感触を身近で感じることができる。加えて、既設の墓石又は石塔の表面状態も当時の痕跡として目視できるため、故人の亡くなる前の面影や故郷等を懐かしく偲ぶことができる。
【００３７】
また、別の方法として、分割石３１の面３２を卓上墓の両側面及び裏面の何れかに配置する場合でも、故人の亡くなる前の面影、故郷等を懐かしく偲ぶことができる痕跡を側面側又は裏側から見ることにより目に見える形で具体的に表すことができる。そのため、故人を偲びたいという遺族等の気持ちを、図５に示す場合と比べて、より満足させる効果があると考えられる。
【００３８】
さらに、図６に示す分割石３１は位牌又は礼拝用表札としても再利用することができる。その場合は、分割石３１の面３２を位牌又は礼拝用表札の表側又は両側面及び裏面の何れかに配置するように再利用することにより、上記の卓上墓の場合と同じような効果を得ることができる。また、分割石３１から香炉を作製する場合は、分割石３１の面３２の一部を残す形で、切断、研磨及び研削の少なくとも何れかの方法によって香炉として所望の形状に後加工を行ってもよい。
【００３９】
このように、本実施形態による礼拝記念碑は、既設の古い墓石又は石塔の再利用により、廃棄場所の確保及び資源の有効利用という環境問題を解決できるともに、文字の刻印又は印字を省略できる場合もあり、新しい礼拝記念碑を従来よりも安価で得ることができる。さらに、コンパクトな形状を有する礼拝記念碑に、故人の亡くなる前の面影や故郷等を懐かしく偲ぶことができる痕跡を目に見える形で具体的に表すことができるため、先祖の霊を敬う気持ちが増長されるトリガーの役目を果たすものと考えられる。
【００４０】
＜第３の実施形態＞
本実施形態を、図７に示す卓上墓の例によって説明する。図７は、前記墓又は位牌が、墓地又は霊園に据付けられていた既設の古い墓石又は石塔から、円柱、円錐、角柱及び角錐のいずれかの形状に切出し又は加工を行った部分を有する墓の外観を示す斜視図である。
【００４１】
図７の（ａ）に示す卓上墓３３は、既設の古い墓石又は石塔から円柱形状に切り出し又は加工を行った部分を竿石３４として使用し、竿石３４の下部に遺骨収納部及び遺品等収納部の少なくとも何れかを有する収納台３５を有する。この卓上墓３３は形状がシンプルであるだけでなく、既設の古い墓石又は石塔に円型状の切削刃を押しあて、それを回転摺動させるだけで簡便に竿石３４の部分を取り出せるため、作製が容易でコスト的に優位にあるという利点を有する。
【００４２】
図７の（ｂ）及び（ｃ）に示す卓上墓３６、３７は、既設の古い墓石又は石塔から円柱形状に切り出し又は加工を行った部分をさらに研磨により円錐状に加工した石を竿石３８、４０として使用し、竿石３８、４０の下部にそれぞれ遺骨収納部及び遺品等収納部の少なくとも何れかを有する収納台３９、４１を有する。図７の（ｂ）と（ｃ）との違いは円錐状の竿石３８、４０の上部形状であり、（ｃ）に示す竿石４０は、その頂点が平坦に追加工されている点で（ｂ）に示す竿石３８とは異る。これら卓上墓３６、３７は、図７の（ａ）に示す卓上墓３３と同じように、既設の古い墓石又は石塔から竿石３８、４０を取り出すときの加工が容易であるだけでなく、扁平の矩形、略円型又は略楕円型とは異なる円錐の形状を既設の古い墓石又は石塔の再利用により作製することができるため、卓上墓の外形形状の自由度を高めることができる。
【００４３】
図７の（ｄ）に示す卓上墓４２は、既設の古い墓石又は石塔から円柱形状に切り出し又は加工を行った後、その部分をさらに研磨により角柱状に加工した石を竿石４３として使用し、竿石４３の下部に遺骨収納部及び遺品等収納部の少なくとも何れかを有する収納台４４を備える。図７の（ｄ）には、円柱形状として長手方向に対して垂直方向の断面が６角形である竿石の例を示しているが、本実施形態においては６角形に限定されず、断面形状として３以上の多角形の何れかを断面形状として採用することができる。この卓上墓４２は、図７の（ａ）に示す卓上墓３３と同じように、既設の古い墓石又は石塔から竿石４３を取り出すときの加工が容易であるだけでなく、扁平の矩形、略円型又は略楕円型とは異なる円柱の形状を既設の古い墓石又は石塔の再利用により作製することができるため、卓上墓の外形形状の自由度を高めることができる。
【００４４】
図７の（ｅ）及び（ｆ）に示す卓上墓４５、４６は、既設の古い墓石又は石塔から角錐形状に切り出し又は加工を行った後、その部分をさらに研磨により角錐状に加工した石を竿石４７、４９として使用し、竿石４７、４９の下部にそれぞれ遺骨収納部及び遺品等収納部の少なくとも何れかを有する収納台４８、５０を有する。図７の（ｅ）及び（ｆ）には、角柱形状として断面が６角形である竿石の例を示しているが、本実施形態においては６角形に限定されず、断面形状として３以上の多角形の何れかを断面形状として採用することができる。この卓上墓４５、４６は、図７の（ａ）に示す卓上墓３３と同じように、既設の古い墓石又は石塔から竿石４７、４９を取り出すときの加工が容易であるだけでなく、扁平の矩形、略円型又は略楕円型とは異なる角錐の形状を既設の古い墓石又は石塔の再利用により作製することができるため、卓上墓の外形形状の自由度を高めることができる。
【００４５】
＜第４の実施形態＞
本実施形態を図８によって概略的に説明する。図８において（ａ）〜（ｆ）は、画像又は音声を記録した書籍、ディスク及びビデオ等の記録媒体を挿入するための溝又は切込み部を有する竿石の例を示す外観斜視図であり、具体的に矩形と円柱の形状を有する竿石の例を示している。なお、（ａ）〜（ｆ）に示す図には、前記竿石を支持するために設ける台の部分は省略している。また、図８の（ｇ）及び（ｈ）は、前記記録媒体を挿入するための溝又は切込み部を有する本実施形態の卓上墓の例を示す外観斜視図である。図８の（ｇ）及び（ｈ）に示す卓上墓は、図１の（ａ）及び（ｂ）に示す卓上墓に、それぞれ溝又は切込み部を設けた例である。
【００４６】
図８の（ａ）〜（ｃ）に示すように、既設の古い墓石又は石塔から切断、研磨及び研削の少なくとも何れかの方法によって前記墓石又は石塔の外形よりも小さな形状で角柱状又は円柱状に切出し又は加工を行って得られた部分を竿石５１、５２、５３として使用する場合は、竿石５１、５２の一部に溝５４を形成するか、又は竿石５３の一部に切れ込み部分５５を形成する。それにより、切出し又は加工を行ったときの様子等を記録した記録媒体を挿入する空間を設けることができる。溝５４の幅、奥行き及び厚さ、又は切れ込み部分５５の径及び厚さは、前記記録媒体の形状と大きさに応じて、前記記録媒体の挿入及び取出しが容易に行うことができる寸法で形成する。図中には、前記記録媒体を挿入する方向を矢印（→）で示している。そして、竿石５１、５２の一部に形成する溝５４は、幅及び奥行きの寸法を、竿石５１、５２の長手方向の断面積に対して７０％以下、好ましくは５０％以下の面積となるように設定することが好ましい。同様に、竿石５３の一部に形成する切れ込み部５５も、直径を竿石５３の長手方向の断面積に対して７０％以下、好ましくは５０％以下の面積となるように設定することが好ましい。それにより、竿石の強度を確保することができる。溝５４又は切れ込み部分５５の厚さは、竿石５１、５２、５３の強度が大幅に低下しないように、具体的に５０ｍｍ以下とするのが好ましい。また、前記記録媒体のサイズが大きく、保管スペースとして広い面積を有する場合は、図８の（ｄ）〜（ｆ）に示すように、溝５４又は切れ込み部分５５を竿石５１、５２、５３の長手方法の一部分に形成してもよい。
【００４７】
本実施形態において、前記記録媒体を挿入するために形成する溝５４又は切れ込み部分５５は、卓上墓の竿石だけでなく、該竿石を支持するために使用する台の部分にも設けることができる。例えば、図８の（ｇ）に示すように、卓上墓１の上台６の部分に溝５４を設けることができる。また、図８の（ｈ）に示すように、卓上墓２の額縁部１０を支持する支持台５６の部分に溝５４を形成してもよい。
【００４８】
本実施形態の卓上墓は、図８に示す例のように、故人の亡くなる前の面影、故郷等を懐かしく偲ぶことができる痕跡を画像又は音声の記録として残した記録媒体を、コンパクトな形状を有する卓上墓に形成する溝又は切れ込み部分に保管又は保存することにより、所望のときに容易に前記記録媒体を取り出して見ることができる。また、故人を偲ぶ機会が気軽に、かつ、頻繁に得られるため、利便性に優れる。
【００４９】
以上のように、本考案の礼拝用記念碑は、従来の卓上墓や手元墓又は位牌では十分に満たすことができなかった遺族の希望、すなわち、手元に置いて好きなときに穏やかに故人を懐かしく偲びたいという気持ちを十分に満たすことができる。さらに、既存の古い墓石又は石塔の一部を再利用の形で卓上墓又は位牌等の礼拝記念碑として使用するため、今後大きな問題となる廃棄場所の確保及び資源の有効利用という環境問題の解決に対しても貢献することができる。
【符号の説明】
【００５０】
１，２，３，４，３３，３６，３７，４２，４５，４６・・・卓上墓
５，２８，３０，３４，３８，４０，４３，４７，４９，５１，５２，５３・・・竿石
６・・・上台
７・・・中台
８・・・芝台
９，１３，１４・・・収納箱
１０，１１，１２・・・額縁部
１５，１６，１７・・・位牌
１８・・・位牌部
１９・・・支持台
２０・・・載置用台
２１，２２・・・香炉
２３・・・香炉の脚
２４，２５，２６，２７・・・拝礼用表札
２９，３１・・・分割石
３２・・・墓石又は石塔の表面に露出していた面
３５，３９，４１，４４，４８，５０・・・収納台
５４・・・溝
５５・・・切れ込み部分
５６・・・額縁部の支持台
【図１】
0003211811.tif 000003
【図２】
0003211811.tif 000004
【図３】
0003211811.tif 000005
【図４】
0003211811.tif 000006
【図５】
0003211811.tif 000007
【図６】
0003211811.tif 000008
【図７】
0003211811.tif 000009
【図８】
0003211811.tif 000010